(57)【要約】      （修正有）【課題】取り付け及び取り外しが簡単であるアンテナの支持用フレームを提供する。【解決手段】アンテナの支持用フレームは、受け部材１０及び組立部材を有し、受け部材は、環装ケース１１及び係合ユニット１２を備え、環装ケースは、長方体を呈し、一端に挿設開口が形成され、長手方向の両側壁にそれぞれ押圧開口が形成され、係合ユニットは、環装ケースの内部に設けられ、係合ユニットの内壁の上面及び内壁の底面の間に、２つのアームが両側の押圧開口に対応するように挿設開口に向かって延設され、各アームの一端の外側面に係合部が設けられ、組立部材は、環装ケースの内部に収容するように受け部材に着脱可能に組み合わされ、挿設開口に向かった側面に組立開口が形成され、組立部材の両側におけるアームの係合部に対応する箇所にそれぞれ係合開口が形成され、アームの係合部が着脱可能に係合開口に係合され、これによれば、受け部材と組立部材とを簡単に取り付けたり取り外したりすることができる。【選択図】図１
0003216546.tif 000002
【実用新案登録請求の範囲】
【請求項１】
受け部材及び組立部材を有し、
前記受け部材は、環装ケース及び係合ユニットを備え、該環装ケースは、長方体を呈し、一端に挿設開口が形成され、長手方向の両側壁にそれぞれ押圧開口が形成され、該係合ユニットは、環装ケースの内部に設けられ、該係合ユニットの内壁の上面及び内壁の底面の間に、２つのアームが両側の押圧開口に対応するように挿設開口に向かって延設され、該各アームの一端の外側面に係合部が設けられ、
前記組立部材は、環装ケースの内部に収容するように受け部材に着脱可能に組み合わされ、挿設開口に向かった側面に組立開口が形成され、該組立部材の両側におけるアームの係合部に対応する箇所にそれぞれ係合開口が形成され、前記アームの係合部が着脱可能に係合開口に係合されることを特徴とするアンテナの支持用フレーム。
【請求項２】
前記環装ケースにおける挿設開口と反対する他端に、末端開口が形成され、
前記２つの押圧開口は、互いに相対するように末端開口の近傍に形成され、
前記環装ケースの両側における押圧開口の近傍にそれぞれ観察開口が形成され、該観察開口は、係合部に対応することを特徴とする請求項１に記載のアンテナの支持用フレーム。
【請求項３】
前記各係合部は、フック状を呈し、端部から外側へ傾斜面が突起され、端部に掛け部が形成され、該掛け部は、平坦面であり、
前記各係合開口の内周面は、平坦面であることを特徴とする請求項１または２に記載のアンテナの支持用フレーム。
【請求項４】
前記係合ユニットは、断面Ｗ字形を呈し、中央に断面Ｕ字形の固定部が設けられ、該固定部の上部及び底部はそれぞれ、環装ケースの内壁の上面及び底面に連接され、該固定部のＵ字形の開口は、環装ケースの末端開口と連通し、該固定部における挿設開口側の上部及び底部に、当接面が凹設され、前記２つのアームは、固定部の両側に連接されることを特徴とする請求項３に記載のアンテナの支持用フレーム。
【請求項５】
前記組立部材は、挿入ケースと、補助リブと、当接周縁と、フレーム本体を備え、該挿入ケースは、フレーム本体に延設され、一端に組立開口が形成され、該組立開口を介して環装ケースに形状対応するとともに挿し込まれ、該組立開口の周囲に開口周縁が設けられ、該開口周縁は、固定部の当接面に当接され、該補助リブは、長手方向に沿って挿入ケースの中段まで延出するように、該挿入ケースの内壁の上面及び底面を連接するように設けられ、該当接周縁は、フレーム本体における挿入ケースと接する端面の外周縁に設けられ、該当接周縁から開口周縁までの距離は、環装ケースの当接面から挿設開口までの距離と一致し、該フレーム本体は、挿入ケースと反対する側に延設されることを特徴とする請求項４に記載のアンテナの支持用フレーム。
【請求項６】
前記環装ケースの内壁の両側における押圧開口の近傍にそれぞれ、摺動凹部が長手方向に沿って凹設され、
前記挿入ケースの外壁に両側における係合開口と当接周縁との間にそれぞれ、ガイドレールが長手方向に沿って凸設され、
前記挿入ケースのガイドレールが環装ケースの摺動凹部に対応して嵌め込まれることにより、組立部材を受け部材に組み合せることを特徴とする請求項５に記載のアンテナの支持用フレーム。
【考案の詳細な説明】
【技術分野】
【０００１】
本考案は、特に取り付け及び取り外しが簡単であるアンテナの支持用フレームに関するものである。
【背景技術】
【０００２】
既存のアンテナのフレームは、図８乃至図１０に示すように、受け部材３０及びアーム部材４０を有し、該受け部材３０及びアーム部材４０を組み合せる場合、まずアーム部材４０を所定の角度に調整し、嵌合棒４５が回転可能に回動凹部３１に嵌め込まれ、側壁４１の２つの止め突起４１１がそれぞれ外側に引っ張り、掛け部３３の掛け突起３３１が止め突起４１１の内側を通過して摺動溝部４６に摺動可能に嵌め込まれ、該止め突起４１１がプラスチック材質からなるので、該止め突起４１１が弾性復位により掛け突起３３１に係合され、これによれば、連接リブ３３２が摺動溝部４６に沿って摺動することができるため、受け部材３０がアーム部材４０に対して角度を適当に調整することができる。
【０００３】
一方、受け部材３０及びアーム部材４０を取り外す場合は、側壁４１の止め突起４１１がそれぞれ外側に引っ張り、掛け部３３の掛け突起３３１が止め突起４１１の内側を通過して摺動溝部４６から離れると、止め突起４１１と掛け突起３３１との係合関係を解除することができ、この時、受け部材３０がアーム部材４０に対して所定の角度に調整することにより、嵌合棒４５が回動凹部３１から離れると、受け部材３０及びアーム部材４０を取り外すことができる。
【考案の概要】
【考案が解決しようとする課題】
【０００４】
既存のアンテナのフレームにおいて、受け部材３０及びアーム部材４０を取り付けたり取り外したりすることができるが、操作の手間がかかると共に、２つの止め突起４１１をそれぞれ外側に引っ張ることから、止め突起４１１が壊れやすくなり、構造の設計が劣って操作し難いため、改良する必要があった。
【課題を解決するための手段】
【０００５】
本考案に係るアンテナの支持用フレームは、受け部材及び組立部材を有し、
前記受け部材は、環装ケース及び係合ユニットを備え、該環装ケースは、長方体を呈し、一端に挿設開口が形成され、長手方向の両側壁にそれぞれ押圧開口が形成され、該係合ユニットは、環装ケースの内部に設けられ、該係合ユニットの内壁の上面及び内壁の底面の間に、２つのアームが両側の押圧開口に対応するように挿設開口に向かって延設され、該各アームの一端の外側面に係合部が設けられ、
前記組立部材は、環装ケースの内部に収容するように受け部材に着脱可能に組み合わされ、挿設開口に向かった側面に組立開口が形成され、該組立部材の両側におけるアームの係合部に対応する箇所にそれぞれ係合開口が形成され、前記アームの係合部が着脱可能に係合開口に係合されるものである。
【０００６】
かかるアンテナの支持用フレームにおいて、
前記環装ケースにおける挿設開口と反対する他端に、末端開口が形成され、
前記２つの押圧開口は、互いに相対するように末端開口の近傍に形成され、
前記環装ケースの両側における押圧開口の近傍にそれぞれ観察開口が形成され、該観察開口は、係合部に対応することが好ましい。
【０００７】
かかるアンテナの支持用フレームにおいて、
前記各係合部は、フック状を呈し、端部から外側へ傾斜面が突起され、端部に掛け部が形成され、該掛け部は、平坦面であり、
前記各係合開口の内周面は、平坦面であることが好ましい。
【０００８】
かかるアンテナの支持用フレームにおいて、
前記係合ユニットは、断面Ｗ字形を呈し、中央に断面Ｕ字形の固定部が設けられ、該固定部の上部及び底部はそれぞれ、環装ケースの内壁の上面及び底面に連接され、該固定部のＵ字形の開口は、環装ケースの末端開口と連通し、該固定部における挿設開口側の上部及び底部に、当接面が凹設され、前記２つのアームは、固定部の両側に連接されることが好ましい。
【０００９】
かかるアンテナの支持用フレームにおいて、
前記組立部材は、挿入ケースと、補助リブと、当接周縁と、フレーム本体を備え、該挿入ケースは、フレーム本体に延設され、一端に組立開口が形成され、該組立開口を介して環装ケースに形状対応するとともに挿し込まれ、該組立開口の周囲に開口周縁が設けられ、該開口周縁は、固定部の当接面に当接され、該補助リブは、長手方向に沿って挿入ケースの中段まで延出するように、該挿入ケースの内壁の上面及び底面を連接するように設けられ、該当接周縁は、フレーム本体における挿入ケースと接する端面の外周縁に設けられ、該当接周縁から開口周縁までの距離は、環装ケースの当接面から挿設開口までの距離と一致し、該フレーム本体は、挿入ケースと反対する側に延設されることが好ましい。
【００１０】
かかるアンテナの支持用フレームにおいて、
前記環装ケースの内壁の両側における押圧開口の近傍にそれぞれ、摺動凹部が長手方向に沿って凹設され、
前記挿入ケースの外壁に両側における係合開口と当接周縁との間にそれぞれ、ガイドレールが長手方向に沿って凸設され、
前記挿入ケースのガイドレールが環装ケースの摺動凹部に対応して嵌め込まれることにより、組立部材を受け部材に組み合せることが好ましい。
【考案の効果】
【００１１】
本考案に係るアンテナの支持用フレームは、上述した構成を有することから、以下のメリットを提供する。
１．  組み立てが簡単：組立部材の組立開口が環装ケースの挿設開口に一直線に対応して挿し込まれると、アームの係合部が組立部材の係合開口に係合されるため、操作上に非常簡単である。
２．  取り外しが簡単：使用者が親指及び人指し指を用いて受け部材の押圧開口を通って係合ユニットのアームを押圧すると、係合部が係合開口から脱出して組立部材を受け部材から引き出すことができるため、取り外しの操作が非常に簡単である。
３．  部材の使用寿命の延長：本考案に係るアンテナの支持用フレームは、係合ユニットの２つのアームを互いに接近させるように押圧することにより、組立部材を簡単に受け部材から取り外すことから、既存のアンテナのフレームにおける２つの止め突起を外側に引っ張る必要はないので、部材を取り付けたり取り外したりしても、部材を壊すことはないため、部材の使用寿命を延長することができる。
【図面の簡単な説明】
【００１２】
【図１】本考案の第一実施例の斜視図である。
【図２】本考案の第一実施例の部分分解斜視図である。
【図３】本考案の第一実施例の他の部分分解斜視図である。
【図４】本考案の第一実施例における、受け部材及び組立部材を組み合せた状態を示す上面視部分断面図である。
【図５】本考案の第一実施例における、受け部材及び組立部材を組み合せた状態を示す側面視部分断面図である。
【図６】本考案の第二実施例の部分分解斜視図である。
【図７】本考案の第二実施例における、受け部材及び組立部材を組み合せた状態を示す上面視部分断面図である。
【図８】既存のアンテナのフレームの部分拡大斜視図である。
【図９】既存のアンテナのフレームの部分分解斜視図である。
【図１０】既存のアンテナのフレームの他の部分分解斜視図である。
【考案を実施するための形態】
【００１３】
図１乃至図３に示すように、本考案に係るアンテナの支持用フレームの第一実施例は、受け部材１０及び組立部材２０を有する。
【００１４】
図１乃至図３に示すように、前記受け部材１０は、プラスチック材質からなり、環装ケース１１及び係合ユニット１２を備え、該環装ケース１１は、長方体を呈し、一端に挿設開口１１１が形成され、他端に、末端開口１１２が形成され、長手方向の両側壁にそれぞれ押圧開口１１３が互いに相対するように末端開口１１２の近傍に形成され、また、前記長手方向の両側における押圧開口１１３の近傍にそれぞれ観察開口１１５が形成され、該環装ケース１１の内壁の両側における押圧開口１１３の近傍にそれぞれ、摺動凹部１１４が長手方向に沿って凹設される。
【００１５】
前記係合ユニット１２は、断面Ｗ字形を呈し、環装ケース１１の内部に設けられ、固定部１２１及び２つのアーム１２２を備え、該固定部１２１は、断面Ｕ字形を呈し、係合ユニット１２の中央に設けられ、該固定部１２１の上部及び底部はそれぞれ、環装ケース１１の内壁の上面及び底面に連接され、該固定部１２１のＵ字形の開口は、環装ケース１１の末端開口１１２と連通し、該固定部１２１における挿設開口１１１側の上部及び底部に、当接面１２３が凹設され、該２つのアーム１２２は、係合ユニット１２の内壁の上面及び内壁の底面の間に位置すると共に、両側の押圧開口１１３に対応するように、固定部１２１の両側から挿設開口１１１に向かって延設され、該各アーム１２２の一端の外側面に係合部１２４が設けられる。
【００１６】
前記各係合部１２４は、フック状を呈し、端部から外側へ傾斜面が突起され、端部に掛け部１２５が形成され、該掛け部１２５は、平坦面であり、該係合部１２４は、観察開口１１５に対応するように設けられる。使用する時、使用者が親指及び人指し指を用いて環装ケース１１の２つの押圧開口１１３を通って２つのアーム１２２を押圧することにより、２つの係合部１２４を挿入ケース２１の係合開口２１２から脱出させて挿入ケース２１から取り外すことができる。
【００１７】
図１乃至図３に示すように、前記組立部材２０は、環装ケース１１の内部に収容するように受け部材１０に着脱可能に組み合わされ、プラスチック材質からなり、挿入ケース２１と、補助リブ２２と、当接周縁２３と、フレーム本体２４を備え、該挿入ケース２１は、環装ケース１１の内部空間の形状に応じる矩形のケースであり、挿設開口１１１に向かった側面に組立開口２１１が形成され、該組立開口２１１の周囲に開口周縁２１４が設けられ、該開口周縁２１４は、固定部１２１の当接面１２３に当接され、該挿入ケース２１の両側におけるアーム１２２の係合部１２４に対応する箇所にそれぞれ係合開口２１２が形成され、該係合開口２１２は、着脱可能にアーム１２２の係合部１２４に係合され、該各係合開口２１２の内周面は、平坦面であり、これによれば、前記係合部１２４が掛け部１２５に係合される場合、該係合部１２４が平坦面により掛け部１２５の平坦面にしっかりと係合されることができる。また、前記係合部１２４がフック状を呈し、外側に傾斜面が突出することから、掛け部１２５が固定部１２１に当接する面積を増加することにより、係合関係を強化することができる。
【００１８】
前記補助リブ２２は、長手方向に沿って挿入ケース２１の中段まで延出するように、該挿入ケース２１の内壁の上面及び底面を連接するように設けられ、組立部材２０の構造を強化することができる。前記当接周縁２３は、環状を呈し、フレーム本体２４における挿入ケース２１と接する端面の外周縁に形成され、該当接周縁２３から開口周縁２１４までの距離は、環装ケース１１の当接面１２３から挿設開口１１１までの距離と一致し、該挿入ケース２１の外壁に両側における係合開口２１２と当接周縁２３との間にそれぞれ、ガイドレール２１３が長手方向に沿って凸設され、該フレーム本体２４は、挿入ケース２１と反対する側に延設される。
【００１９】
本考案に係るアンテナの支持用フレームの第一実施例において、受け部材１０及び組立部材２０を組み合せる場合は、該挿入ケース２１のガイドレール２１３が摺動凹部１１４に一直線に対応して摺動することにより、組立部材２０が挿設開口１１１から環装ケース１１に挿入して受け部材１０に組み合わされ、そのうち、アーム１２２及び係合部１２４は、プラスチック素材からなるため、弾性を備え、このため、２つの係合部１２４が挿入ケース２１の内壁の両側に当接して互いに接近することにより、圧縮変形を行い、該係合部１２４が係合開口２１２に対応する箇所まで移動すると、該係合部１２４がアーム１２２の弾性により該係合開口２１２に係合され、これによれば、組立部材２０を受け部材１０に組み合せることができる。
【００２０】
一方、前記受け部材１０の環装ケース１１における両側にそれぞれ、係合部１２４に対応する観察開口１１５が形成されることから、該観察開口１１５により、係合部１２４と係合開口２１２との係合状態を確認することができ、これによれば、受け部材１０と組立部材２０との組立状態を確認することができ、受け部材１０と組立部材２０との脱落を防止することができる。
さらに、図４及び図５に示すように、前記当接周縁２３から開口周縁２１４までの距離が当接面１２３から挿設開口１１１までの距離と一致することから、組立部材２０が受け部材１０に挿し込まれると、組立部材２０の開口周縁２１４が係合ユニット１２の当接面１２３に当接されると共に、組立部材２０の当接周縁２３が環装ケース１１の挿設開口１１１の周縁に当接され、また、ガイドレール２１３が摺動凹部１１４に嵌め込まれ、これによれば、受け部材１０及び組立部材２０を確固に組み合せることができる。
【００２１】
前記受け部材１０及び組立部材２０を取り外す場合は、使用者が親指及び人指し指で環装ケース１１の両側の押圧開口１１３を通って係合ユニット１２の２つのアーム１２２を押圧して２つの係合部１２４を互いに接近させ、これによれば、該係合部１２４が係合開口２１２から脱出することにより、係合状態を解除し、組立部材２０を受け部材１０から引き出して分離することができる。
【００２２】
本考案に係るアンテナの支持用フレームの第二実施例は、図６及び図７に示すように、殆ど第一実施例と同一であるが、組立部材２０Ａの設計が異なる。前記組立部材２０Ａは、アルミ材質からなり、中空状且つ矩形の管体であり、該組立部材２０Ａの一端に、組立開口２１１Ａが形成され、該組立部材２０Ａの両側にそれぞれ、係合開口２１２Ａが長手方向に沿って形成され、該２つの係合開口２１２Ａは、互いに相対するように形成される。
【００２３】
本考案に係るアンテナの支持用フレームの第二実施例において、受け部材１０及び組立部材２０Ａを組み合せる場合は、殆ど第一実施例と同一であり、該組立部材２０Ａが挿設開口１１１から環装ケース１１に挿し込まれると、係合部１２４が組立部材２０Ａの係合開口２１２Ａに係合され、これによれば、受け部材１０と組立部材２０Ａとをしっかりと組み合せることができる。一方、受け部材１０及び組立部材２０Ａを取り外す場合には、使用者が親指及び人指し指で環装ケース１１の両側から押圧開口１１３を通って係合ユニット１２の２つのアーム１２２を押圧して２つの係合部１２４を互いに接近させ、これによれば、これによれば、該係合部１２４が係合開口２１２Ａから脱出することにより、係合状態を解除し、組立部材２０Ａを受け部材１０から引き出して分離することができる。
【００２４】
本考案に係るアンテナの支持用フレームは、上述した構成を有すれば、受け部材１０と組立部材２０とを簡単に組み合せると共に、２つのアーム１２２を押圧することにより係合部１２４が係合開口２１２から脱出することができるため、受け部材１０を簡単に組立部材２０から取り外して分離することができる。したがって、本考案に係るアンテナの支持用フレームは、部材を簡単に取り付けたり取り外したりすることができると共に、部材の構造強度を向上するもできるため、使用寿命を延長することができる。
【符号の説明】
【００２５】
１０、３０        受け部材
１１              環装ケース
１１１            挿設開口
１１２            末端開口
１１３            押圧開口
１１４            摺動凹部
１１５            観察開口
１２              係合ユニット
１２１            固定部
１２２            アーム
１２３            当接面
１２４            係合部
１２５、３３      掛け部
２０、２０Ａ      組立部材
２１              挿入ケース
２１１、２１１Ａ  組立開口
２１２、２１２Ａ  係合開口
２１３            ガイドレール
２１４            開口周縁
２２              補助リブ
２３              当接周縁
２４              フレーム本体
３１              回動凹部
３３１            掛け突起
３３２            連接リブ
４０              アーム部材
４１              側壁
４１１            止め突起
４５              嵌合棒
４６              摺動溝部
【図１】
0003216546.tif 000003
【図２】
0003216546.tif 000004
【図３】
0003216546.tif 000005
【図４】
0003216546.tif 000006
【図５】
0003216546.tif 000007
【図６】
0003216546.tif 000008
【図７】
0003216546.tif 000009
【図８】
0003216546.tif 000010
【図９】
0003216546.tif 000011
【図１０】
0003216546.tif 000012